(57)【要約】【課題】携帯端末に搭載したＩＣカードでのバリューチャージや定期券の更新を、管理装置の負担を軽減して、可能とする。【解決手段】携帯端末１００内にＩＣカード１０４が搭載され、このＩＣカード１０４に、バリュー残高や定期券の情報とともに、かかるバリューのチャージや定期券の更新のための対応動作条件が格納されている。これらバリュー残高や定期券の有効期限が設定された所定のタイミングでチェックされ、これらが設定されている対応動作条件を満たしているとき（例えば、バリュー残高が所定の金額未満となったとき）、設定されている対応動作が実行され、バリュー残高に対しては、所定金額がチャージされ、定期券に対しては、有効期限になる旨が通知される。かかる対応動作条件は、携帯端末で設定，変更可能である。【選択図】        図１
2004355507.tif 000002
【特許請求の範囲】
【請求項１】
非接触ＩＣカード、または、接触／非接触ＩＣカードを取り付けるＩＣカード取付手段と、
対応動作条件を記憶したメモリ手段と、
該ＩＣカードがアクセスされたことを検出するアクセス検出手段と、
該アクセスの結果生じたＩＣカード内容の変化が該対応動作条件を満たすとき、所定の対応動作を行なうアクセス対応動作手段と
を備えたことを特徴とする携帯端末。
【請求項２】
請求項１において、
前記アクセス検出手段が、設定された所定のタイミングで前記ＩＣカードのカード情報を確認することにより、前記ＩＣカードがアクセスされたことを検出することを特徴とする携帯端末。
【請求項３】
請求項１において、
前記アクセス検出手段が、ＩＣカードと外部装置との通信を検出する検出手段であることを特徴とする携帯端末。
【請求項４】
請求項１乃至３のいずれか１つにおいて、
前記アクセス対応動作手段が、前記ＩＣカードと所定の処理を行なう管理装置との間でデータの送受信を行なうことを特徴とする携帯端末。
【請求項５】
請求項１乃至４のいずれか１つにおいて、
前記アクセス対応動作手段が、対応動作条件として、カード情報の変化量または変化項目の設定を可能とし、対応動作を設定可能としたことを特徴とする携帯端末。
【請求項６】
非接触通信によってＩＣカードと通信処理を行ない、ＩＣカード識別情報及び残高情報を含むカード情報を取得する手段を備えた非接触ＩＣカード処理装置からカード情報を受け取り、該ＩＣカード識別情報からＩＣカードが取り付けられている携帯端末を識別できる携帯端末識別手段と、
対応動作条件を記憶したメモリ手段と、
該携帯端末と通信を行なう携帯電話通信手段と、
該カード情報の内容が該対応動作条件を満たすとき、該携帯端末識別手段により識別した携帯端末に対して残高チャージのための所定の情報を送信するか否かの判断を行なう情報送信判断手段と、
該情報送信判断手段で判別された該所定の情報を送信する情報送信手段と
を備えたことを特徴とする管理装置。
【請求項７】
請求項６において、
前記情報送信判断手段が、少なくとも前記携帯端末の利用者が設定したカード情報の変化項目または変化項目の変化量を所定情報の送信判断条件として用いるか、または該利用者に送信する情報の内容を利用者が設定可能とすることを特徴とする管理装置。
【請求項８】
請求項６に記載の管理装置により送信された前記所定情報を受け取る情報受信手段と、
該情報受信手段で受信した該所定情報に応じて所定の対応動作を行なう対応動作手段と
を備えたことを特徴とする携帯端末。
【請求項９】
請求項６または７において、
前記情報送信手段は、携帯端末でバリューのチャージのためにプログラムを起動させるための情報または定期券の有効期限の更新に関する情報、または、携帯端末で定期券の更新のためのプログラムを起動させるための情報を送信することを特徴とする管理装置。
【請求項１０】
請求項１〜５，８のいずれか１つにおいて、
前記対応動作手段は、バリューのチャージまたは定期券の有効期限の更新を行なうことを特徴とする携帯端末。
【請求項１１】
請求項１〜５，８，１０のいずれか１つにおいて、
前記アクセス対応動作手段または前記所定動作手段が、必要に応じて、利用者の認証を行なうことを特徴とする携帯端末。
【請求項１２】
請求項１１において、
前記利用者の認証を、所定動作を特定回数行なったとき、または特定内容の動作時にのみ行なうことを特徴とする携帯端末。
【請求項１３】
請求項１１または１２において、
前記認証が、ＩＤ，パスワード，指紋，虹彩，音声，顔型のいずれかまたはいずれかの組み合わせによって行なわれることを特徴とする携帯端末。
【請求項１４】
携帯端末に搭載されたＩＣカードのカード情報に基づいて、該ＩＣカードを管理する方法であって、
該携帯端末から該ＩＣカードのカード情報を取得し、
取得した該カード情報と予め設定されている対応動作条件とを比較し、該カード情報が該対応動作条件を満たしているとき、該携帯端末で該カード情報に対応する対応動作を実行させることを特徴とするＩＣカードの管理方法。
【請求項１５】
請求項１４において、
前記カード情報はバリュー残高であって、該携帯端末から改札機を介して取得し、前記対応動作は前記ＩＣカードへのバリューのチャージであることを特徴とするＩＣカードの管理方法。
【請求項１６】
請求項１４において、
前記カード情報は定期券の有効期限であって、該携帯端末から改札機を介して取得し、前記対応動作は前記携帯端末での該有効期限の通知であることを特徴とするＩＣカードの管理方法。
【発明の詳細な説明】
【０００１】
【発明の属する技術分野】
本発明は、ＩＣカードを搭載した携帯端末とこれを管理する管理装置及びＩＣカードの管理方法に係り、特に、乗車システムなどに用いて好適な携帯端末とその管理装置及びＩＣカードの管理方法に関する。
【０００２】
【従来の技術】
従来、ＩＣカードを交通機関の乗車券として用いることができるようにしたシステムが提案されている。
【０００３】
その一例として、携帯端末にＩＣカードをタグとして用いるものであって、この携帯端末には、外部との無線通信を行なうための主アンテナのほかに、ＩＣカードが外部との無線通信を行なうためのＩＣカード用アンテナを備えている。この携帯端末の利用者がこのシステムの交通機関を利用する場合には、主アンテナからの通信によって鉄道会社のサイトに要求すると、乗車券，回数券あるいは定期券の電子情報が送信され、携帯端末では、これが主アンテナで受信されてＩＣカードに記憶される。乗車する場合には、かかるＩＣカードが内蔵された携帯端末を乗車駅の改札ゲートにかざすと、ＩＣカードに記憶されている電子情報が読み出され、上記のＩＣカード用アンテナから改札ゲートに送信される。改札ゲートでは、これが受信されると、利用者を通過可能にとする（例えば、特許文献１参照）。
【０００４】
また、他の例としては、ＩＣカードにバリュー情報を記憶し、これにより、乗車料金を支払うことができるようにしたシステムが提案されている（例えば、特許文献２参照）。
【０００５】
これは、利用者が、乗車駅でバリュー情報（金額情報）を記憶したＩＣカードを改札機に通すと、改札機はこのＩＣカードの識別情報を取り込み、また、下車駅でこのＩＣカードを改札機に通すと、この識別情報とともに、バリュ情報も取り込む。ＩＣカード管理システムは、乗車駅と下車駅との改札機で取り込んだ識別情報からこのＩＣカードが認識し、これら乗車駅と下車駅とから乗車料金が算出し、この乗車料金に対するバリューをＩＣカードから引き出すものである。
【０００６】
また、かかるＩＣカードでは、ＩＣカード管理システムに登録しておくことにより、ＩＣカードでのバリューの積み増しや定期券の自動継続もできるようにしている。このバリューの積み増しについては、例えば、残高が３００円以下になると、自動的に１０００円積み増しするというように、ルールが指定されており、ＩＣカード管理システムは、かかる積み増しをすることが要求されたＩＣカードに対しては、このルールに従ってバリューの積み増しを行ない、ＩＣカードでのバリュー残高が不足しないようにしている。
【０００７】
【特許文献１】
特開２００２−２４７１５７号公報
【０００８】
【特許文献２】
特開２００２−３２９１７６号公報
【０００９】
【発明が解決しようとする課題】
ところで、上記特許文献１に記載の技術によると、交通機関を利用する毎に、乗車券などを購入するための操作を携帯端末で行なわなければならず、そのための情報入力の手間がかかることになるし、また、購入した乗車券に対して乗車区間を変更した場合には、その変更のための手続きが下車駅で必要となる。
【００１０】
これに対し、上記特許文献２に記載の技術では、改札機にＩＣカードを通すだけで改札口を通ることができ、また、乗車駅と下車駅とから乗車料金が算出され、この乗車料金をＩＣカードに記憶されたバリュー情報で支払うことができるから、利用者は何ら操作をしなくともよく、上記特許文献１に記載の技術での問題点を解消するものである。
【００１１】
しかし、ＩＣカードでのバリュー残高が不足しないようにするためには、バリューの積み増しをＩＣカード管理システムに要求することが必要であるし、また、ＩＣカード管理システムも、どのＩＣカードがバリューの積み増しを要求しているかを認識して記憶し、また、夫々の改札機にバリューの積み増しを要求したＩＣカードを通知しておくことが必要である。
【００１２】
また、上記特許文献２に記載の技術では、定期券の更新サービスも提供するものであるが、この管理もＩＣカード管理システムで行なわれており、このサービスを受けているＩＣカードに関する情報も、各改札機に通知することが必要となる。ＩＣカードを定期券として利用できるようにする場合も同様である。
【００１３】
このような管理や更新方法では、利用者の増加とともに管理コストも増加し、また、処理時間も増加していく問題がある。
【００１４】
また、上記特許文献２に記載の技術では、ＩＣカードからの要求により、定期券の自動更新が可能となるが、これによると、更新の時期になると、定期券は自動的に更新されることになり、利用者としては、更新時期になれば、それを知りたい場合もあるが、これができない。
【００１５】
本発明の目的は、かかる問題を解消し、ＩＣカードを搭載可能として、管理システム側の負担を不要または減らしながら、ＳＦバリューのチャージ（積み増し）を可能とし、定期券の更新タイミングを利用者に知らせることができて、使い勝手の良い携帯端末とその管理装置及びＩＣカードの管理方法を提供することにある。
【００１６】
本発明の他の目的は、通信情報のセキュリティを高めながら、ＳＦバリューのチャージのチャージや定期券更新の通知を行なうことができるようにした携帯端末とその管理装置及びＩＣカードの管理方法を提供することにある。
【００１７】
【課題を解決するための手段】
上記目的を達成するために、本発明は、非接触ＩＣカードを搭載した携帯電話が所定のタイミングでＩＣカードの内容をチェックすることにより、非接触アクセスが行なわれたことを検出し、必要に応じてバリューチャージや定期券の更新ができるようにする。
【００１８】
また、本発明は、改札機及び管理装置と連携して、非接触ＩＣカードを搭載した携帯電話が改札を通過した場合、管理装置が改札通過したデータをもとに、管理装置に登録してある顧客データと情報送信条件から、携帯電話にバリューチャージや定期券更新に関連する情報を送信することにより、適切なタイミングで利用者がバリューチャージや定期券の更新ができるようにする。
【００１９】
さらに、本発明は、携帯電話に認証機能を搭載することにより、バリューチャージや定期券の更新時に指紋認証などを行ない、セキュリティを高めた上でバリューチャージや定期券の更新ができるようにする。
【００２０】
【発明の実施の形態】
以下、本発明の実施形態を図面を用いて説明する。
図１は本発明のよるＩＣカードの管理方法の一実施形態を示す図であって、１００は携帯端末、１０１は改札機、１０３は管理装置。１０３はネットワーク、１０４はＩＣカード、１０５，１０６はアンテナである。
【００２１】
同図において、このシステムは、携帯端末１００と改札機１０１と管理装置１０２とネットワーク１０３とで構成されている。
【００２２】
携帯端末１００は、ＩＣカード４を内蔵し、ネットワーク１０３を介して管理装置１０２と通信するためのアンテナ１０７や改札機１０１の図示しない非接触ＩＣカードＲ／Ｗ（リーダライタ）と通信を行なうためのアンテナ１０５を搭載している。改札機１０１は、非接触ＩＣカードＲ／Ｗを内蔵し、そのアンテナを介して携帯端末１００に内蔵の非接触ＩＣカード４と通信が可能である。管理装置１０２はＩＣカード４の情報を管理し、必要な情報を改札機１０１とやりとりする。また、管理装置１０２は、ＩＣカード４でのバリューチャージや定期券データの更新の管理も可能である。定期券の利用者や管理装置１０２からの各種データ送信サービスの利用者の関連情報が、管理装置１０２の図示しない顧客データベースにＩＣカードＩＤと関連付けて登録されている。
【００２３】
携帯端末１００は、ネットワーク１０３を通じて管理装置１０１と相互に通信が可能であり、また、改札機１０１と管理装置１０２も、専用の通信線を介して接続されており、相互に通信が可能である。勿論、改札機１０１が管理装置１０２の機能の一部や全部を備えていてもよいし、管理装置１０２が機能を分散して複数存在していてもよい。
【００２４】
このシステムの第１の例として、まず、ＩＣカード１０４内にＳＦバリューや定期券などの情報（以下、カード情報という）が記憶されており、携帯端末１００が自身のカード情報をチェックして、バリューのチャージや定期券の更新を行なう場合について説明する。
【００２５】
図２は本発明による携帯端末の一実施形態である図１における携帯端末１００の内部構成を示すブロック図であって、２０１は制御部、２０２は音声入力部、２０３は記憶部、２０４は通信部、２０６は入力部、２０７は表示部、２０８はＩＣカードＩ／Ｆ（インタフェース）部であって、図１に対応する部分には同一符号を付けている。
【００２６】
同図において、この実施形態は、必要なプログラムやデータを保持し、各種判定や演算などによって携帯端末１００の統括制御を行なう制御部２０１と、通話用音声の入出力を行なうための入出力部２０２と、携帯端末１００の利用者による各種設定情報やダウンロードしたデータ，プログラムなどを保存する記憶部２０３と、音声通信やデータ通信をアンテナ１０７を介して行なう通信部２０４と、テンキーなどの操作ボタンで情報の入力を行なう操作部２０６と、電話番号情報やインターネットからのコンテンツ画面などを表示する表示部２０７と、ＩＣカード１０４との通信やアンテナ１０５を介して改札機１０１の非接触Ｒ／Ｗと通信を行なうＩＣカードＩ／Ｆ部２０８とを具備した構成をなしている。
【００２７】
なお、ＩＣカード１０４は、非接触ＩＣカードでもよいし、また、接触，非接触Ｉ／Ｆの両方を備えたデュアルＩ／Ｆ搭載のＩＣカードでもよく、さらに、携帯端末１００から取り外し可能であってもよい。
【００２８】
携帯端末１００に内蔵のＩＣカード１０４には、乗車券のＳＦバリューが所持されており、乗車駅や下車駅で改札する場合には、利用者が携帯端末１００を乗車駅での改札機１０１にかざすことにより、改札口を通過することができ、また、下車駅の改札機に携帯端末１００をかざすことにより、この改札口を通過することができるとともに、乗車駅から下車駅までの必要な乗車料金などのバリューが引き去られる。また、定期券をＩＣカード１０４内に所持しているときには、改札機１０１で有効期限がチェックされ、これにより、改札口を通過することができる。
【００２９】
図３は図２に示す携帯端末１００のバリュー残高に関する動作の一具体例を示すフローチャートである。これは、携帯端末１００自体が、例えば、ＩＣカード１０４内のバリュー残高がある一定額以下になっていないかどうかをチェックし、不足していれば、自動的にそれをチャージする制御部２０１の自動チェック機能の処理手順を示すものである。
【００３０】
同図において、まず、記憶部２０３に記憶されている利用者の設定などに基づき、利用者が携帯端末１００の電源投入を投入すると、制御部２０１が処理がスタートする（Ｓ（ステップ）３００）。そして、利用者が設定した所定のタイミング（例えば、一定時間間隔や特定の時間など）でＩＣカード１０４にアクセスを行ない、カード情報、ここでは、ＳＦバリュー残高を取得し（Ｓ３０１）、また、利用者が設定した対応動作条件及び対応動作ＩＤ（識別情報）も取得する（Ｓ３０２）。
【００３１】
この対応動作は、ＩＣカード１０４から取得したカード情報に対して実行される動作であって、ＳＦバリュー残高の場合には、そのチャージを行なう動作が対応動作である。また、対応動作条件とは、かかる対応動作を実行させるための条件であって、例えば、バリュー残高が１０００円以下になると、３０００円のチャージを実行するという条件であり、これは、携帯端末１００により、利用者が設定する。この対応動作条件は、ＩＣカード１０４に記憶されており、利用者によって設定，変更可能である。
【００３２】
このように、ＳＦバリュー残高と対応動作条件を取得すると、制御部２０１は、これらを比較し、対応動作を実行すべきか否かを判定する（Ｓ３０３）。ＳＦバリュー残高がその対応動作条件を満たしている場合には（上記の例では、バリュー残高が１０００円を越えている）、対応動作が不要としてＳ３０１に戻るが、ＳＦバリュー残高がその対応動作条件を満たしていない場合には（上記の例では、バリュー残高が１０００円以下）、対応動作を実行してＳＦバリューのチャージ（上記の例では、３０００円の積み増し）が行なわれ（Ｓ３０４）、Ｓ３０１に戻る。
【００３３】
かかる動作は、所定の時間経過毎、あるいは特定のときなどの所定のタイミング（例えば、改札機１０１との通信を行なうときなど）で行なわれ、このような動作を行なうタイミングは利用者が適宜設定することができる。
【００３４】
ここで、対応動作（Ｓ３０４）は、例えば、次のように行なわれる。
【００３５】
制御部２０１は、対応動作条件を満たしていると判定すると（Ｓ３０３）、ＩＣカード１０４に内蔵の変更プログラムを起動し、通信部２０４，アンテナ１０７を介して図示しない銀行などの金融機関と通信し、この携帯端末の利用者の口座からのバリューチャージに必要な金額（この場合、３０００円）の引き出しを要求する。金融機関は、この要求に応じて、この口座から必要な金額を引き出し、この金額の情報を携帯端末１００に送信する。携帯端末１００では、この金額情報をアンテナ１０７から通信部２０４を介して受信し、ＩＣカードＩ／Ｆ部２０８からＩＣカード１０４に送る。これにより、この送金金額がＩＣカードでバリューとしてチャージされる。あるいはまた、携帯端末１００は通信部２０４，アンテナ１０７からネットワーク１０３を介した管理装置１０２との通信を行ない、かかる判定結果を通知する。管理装置１０２は、この通知を受けると、対応動作を実行させるためのチャージするバリュー（上記の例では、３０００円）をネットワーク１０３を介して携帯端末１００に送信する。携帯端末１００では、このバリューをアンテナ１０７から通信部２０４を介して受信し、ＩＣカードＩ／Ｆ部２０８からＩＣカード１０４にチャージする。
【００３６】
なお、利用者の設定によっては、表示部２０７の画面に残高不足情報を表示させることも可能であるし、定期券の有効期限をチェックし、その更新を指示することも可能である。
【００３７】
次に、図１に示すＩＣカードの管理方法の他の実施形態として、携帯端末１００が改札機１０１及び管理装置１０２と連携してバリョー残高のチャージや定期券の更新を行なう場合を説明する。
【００３８】
図４は図１における改札機１０１の一具体例の内部構成を示すブロック図であって、４０１は制御部、４０２は改札通過情報記憶部、４０３は非接触ＩＣカード通信部、４０４は通信部であり、図１に対応する部分には同一符号を付けて重複する説明を省略する。
【００３９】
同図において、この改札機１０１は、必要なプログラムやデータを保持し、各種判定や演算などによって改札機１０１の統括制御を行なう制御部４０１と、改札機１０１で処理したＩＣカード１０４のＩＤ（識別情報）やカード情報などを取得して保持する改札通過情報記憶部４０２と、アンテナ１０６を備えて携帯端末１００に搭載された非接触ＩＣカード１０４と通信を行なう非接触ＩＣカード通信部４０３と、管理装置１０２と各種データのやりとりを行なう通信部４０４とを具備した構成をなしている。
【００４０】
利用者がＩＣカード１０４を搭載した携帯端末１００を形態機１０１にかざすと、この携帯端末１００（図２）では、制御部２０１がＩＣカード１０４からカード情報を読み取り、ＩＣカードＩ／Ｆ部２０８から非接触アンテナ１０５を介して改札機１０１に送信する。改札機１０１では、図４において、制御部４０１の制御の基に、このカード情報を非接触アンテナ１０６から非接触ＩＣカード通信部４０３を介して受信し、改札通過情報記憶部４０２に記憶する。しかる後、制御部４０１はこの改札通過情報記憶部４０２からカード情報を読み取り、通信部４０４から管理装置１０２に送信する。
【００４１】
図５は本発明によるＩＣカードの管理方法の他の実施形態での図１における管理装置１０２の内部構成を示すブロック図であって、５０１は制御部、５０２は改札通過情報記憶部、５０３は顧客データ記憶部、５０４は通信部であり、図１に対応する部分には同一符号を付けて重複する説明を省略する。
【００４２】
同図において、この管理装置１０２は、必要なプログラムやデータを保持し、各種判定や演算などによってバリューチャージや定期券の更新なども含めた管理装置１０２の統括制御を行なう制御部５０１と、改札機１０１で処理した非接触ＩＣカード１０４のＩＤやカード情報などを取得し保持しておく改札通過情報記憶部５０２と、利用者のカードＩＤや携帯端末１００のアドレス，各種情報サービスの条件などの情報を保存しておく顧客データ記憶部５０３と、携帯端末１００や改札機１０１と各種データのやりとりを行なう通信部５０４を具備した構成をなすものである。
【００４３】
図６は図５における管理装置１０２の顧客データ記憶部５０３に保存されている顧客データの一具体例を示す図である。
【００４４】
同図において、顧客データは、顧客（非接触ＩＣカード１０４の利用者）を識別するための顧客ＩＤ６００と、顧客が所持している非接触ＩＣカード１０４を識別するための所持ＩＣカードＩＤ６０１と、情報通知や特定プログラム起動に必要な携帯端末１００の連絡アドレス６０２と、顧客名６０３と、改札機１０１が取得した非接触ＩＣカード１０４の状態がどのような条件になった場合にその利用者（顧客）に情報を送信するかの条件を定めた情報送信条件６０４と、情報送信条件６０４に合致した場合にどのような情報を送信するかを定めた送信情報内容６０５とが含まれている。
【００４５】
情報送信条件６０４や送信情報内容６０５は顧客が設定するものであり、例えば、顧客Ａに対しては、情報送信条件として、ＳＦバリューについて、「残高１００円未満」が設定され、送信する情報内容としては、「情報通知」が設定されているが、これは、非接触ＩＣカードでのバリュー残高が１００円未満になっているときには、その旨を非接触ＩＣカード１０４に通知するものであり、これにより、非接触ＩＣカード１０４では、表示部２０７や音声入出力部２０２などによって利用者に知らせる。
【００４６】
顧客Ｂの場合には、情報送信条件として、ＳＦバリューについて、「残高１００円未満」が設定され、送信する情報内容としては、「更新プログラム起動」が設定されているが、これは、非接触ＩＣカード１０４でのバリュー残高が１００円未満になっているときには、ＩＣカード１０４に内蔵のバリューチャージのための更新プログラムを起動する情報を送信するものであり、非接触ＩＣカード１０４では、この起動情報を受信すると、この更新プログラムが起動してバリューのチャージが行なわれる。また、定期券については、情報送信条件として、「定期有効期限２週間前」と設定され、送信情報内容としては、「情報通知」が設定されているが、この場合には、定期券が有効期限となる２週間前にその旨を通知する情報を携帯端末１００に通知し、携帯端末１００では、その旨が画面や音声などで利用者に通知されるものである。さらに、定期券の場合、送信情報内容としては、「情報通知」とともに、「更新プログラム起動」を設定するようにしてもよく、この場合には、情報通知とともに、この更新プログラムの起動情報も携帯端末１００に送信され、非接触ＩＣカード１０４において、この更新プログラムが起動して定期券の更新も行なわれる。かかる定期券の更新は、更新プログラムの起動情報を受信した後、例えば、非接触ＩＣカード１０４が改札機１０１を通過するときに、この改札機１０１を介した管理装置１０２との通信によって更新プログラムが起動し、定期券情報やそれに対する定期券料金の通信によって行なわれる。あるいはまた、更新プログラムの起動情報を受信した後、携帯端末１００での定期券更新のための所定の操作をすることにより、ネットワーク１０３を介した携帯端末１００と管理装置１０２との間の通信により、同様にして、定期券の更新を行なうようにすることもできる。
【００４７】
図７は本発明によるＩＣカードの管理方法の他の実施形態での図５に示す管理装置１０２のバリュー残高や定期券の有効期限に関する動作の処理手順の一具体例を示すフローチャートである。この具体例では、管理装置１０２が通信部５０４を経由して、改札機１０１の改札通過情報記憶部４０２に保存されているＩＣカード１０４の改札通過データを取得したとき、顧客データ記憶部５０３に設定されている顧客データをもとに、利用者のＩＣカード１０４を搭載した携帯端末１００にバリュー残高や定期券の有効期限に関連する情報の送信をするか否か判断し、どのような手順で処理するかを示すものである。
【００４８】
図７において、図５に示す管理装置１０２（図５）では、まず、制御部５０１の制御の基に、通信部５０４を介して改札機１０１からＩＣカード１０４の改札通過データを受け取り、これが改札通過情報記憶部５０２に格納されると（Ｓ７００）、改札通過情報記憶部５０２から各改札通過データが呼び出される（Ｓ７０１）。そして、これら改札通過データに含まれるカードＩＤをもとに、顧客データ記憶部５０３から対応する顧客データが読み出され（Ｓ７０２）、ステップＳ７０３では、改札データに含まれる残高情報や定期券の有効期限情報と顧客データ記憶部５０３での図６に示すような顧客データに含まれる情報送信条件とを比較し、利用者の携帯端末１００に情報を送る必要があるかを判断する（Ｓ７０３）。送信不要と判断した場合には、Ｓ７０１に進むが、送信必要と判断したときには、送信情報内容の作成を行ない（Ｓ７０４）、ネットワーク１０３を介してこれを携帯端末１００に送信し（Ｓ７０５）、Ｓ７０１に戻って、次の改札通過データの処理に進む。
【００４９】
Ｓ７０４において、例えば、定期券の有効期限が近づいていることを通知するだけの場合は、テキストドキュメントを作成して、これを携帯端末１００にメールで送信すればよい。また、一定額のチャージを自動的に行なう場合などは、携帯１００に保存されているチャージプログラムを起動するためのパラメータなども生成し、これを直接携帯端末１００に送付してもよいし、パラメータなどは、サーバ上に用意しておき、接続先情報だけを携帯端末１００に送付してもよい。ステップＳ７０５では、作成したデータを携帯端末１００に送信する。
【００５０】
図８はこのように管理装置１０２から送信情報内容を受信したときの携帯端末１００の動作手順の一具体例を示すフローチャートである。
【００５１】
同図において、図２に示す携帯端末１００では、まず、管理装置１０２から上記の送信情報内容が送信されると（Ｓ８００）、制御部２０１の制御の基に、これをアンテナ１０７，通信部２０４によって受信し、記憶部２０３などに保存する（Ｓ８０１）。そして、この受信情報の内容を解釈し、例えば、定期券の有効期限が近づいているという画面を表示するのか、バリューチャージを行なうためのプログラムを起動するかなどの判断を行ない（Ｓ８０２）、この判断結果に基づいて判断した対応動作を実行し（Ｓ８０３）、処理を終了する。
【００５２】
次に、携帯端末１００に、指紋入力部や、カメラなどを備えることで、認証機能を追加し、よりセキュリティーを高めならがらバリューチャージや有効期限の更新を行なう場合の例を説明する。
【００５３】
図９は本発明による携帯端末の他の実施形態としての図１における携帯端末１００の内部構成を示すブロック図であって、９００は指紋入力部、９０１はカメラ部、９０２は通信検出部であり、図２に対応する部分には同一符号を付けて重複する説明を省略する。
【００５４】
この実施形態は、携帯端末１００に、図９で図示するように、指紋入力部９００やカメラ部９０１などを追加することにより、認証機能を追加し、よりセキュリティーを高めならがら、バリューチャージや有効期限の更新を行なうものである。指紋入力部９００は、認証のための指紋を入力するためのものであり、カメラ部９０１は、認証のための虹彩や顔型などを入力するためのものである。その他、音声入出力部２０２を用いて音声認識による認証も可能であるし、テンキーなどの操作部２０６を用いてＩＤやパスワードによる認証も可能である。
【００５５】
また、この実施形態では、非接触ＩＣカード通信を検出する別の機能として、通信検出部９０２も追加されており、携帯端末１００が定期的にＩＣカード１０４の内容を確認することなしに、適切なタイミングにＩＣカード１０４の内容を確認することができるようにしている。
【００５６】
認証機能は、利用者の操作部２０６の操作によってＯＮ／ＯＦＦが設定できるようにすることもできるし、また、例えば、バリューチャージを５回行なったときや１００００円以上のチャージのときには、認証が必要であるといった設定や、定期券の更新には、必ず認証が必要とするなどの設定ができるようにすることも可能である。
【００５７】
図１０は携帯端末１００での対応動作設定画面１０００の一具体例を示す図である。
【００５８】
同図において、この対応動作設定画面１０００では、バリューチャージに対する設定エリア１００１と定期券に対する設定エリア１００２とが設けられている。設定エリア１００１では、バリュー残高のチェックタイミングを設定するタイミング設定欄１００１ａとその対応動作を設定する対応動作設定欄１００１ｂとが設けられており、ここでは、タイミング設定欄１００１ａでバリューのチェックタイミングを「毎日１０時」、対応動作設定欄１００１ｂで対応動作を「１０００円未満で３０００円チャージ」と夫々設定しており、かかる設定により、毎日１０時になると、ＩＣカード１０４内のバリューがチェックされ、バリュー残高が１０００円未満になると、３０００円チャージされることになるが、これらの設定内容は、操作部２０６の操作により、適宜設定変更することができる。
【００５９】
同様にして、定期券に対する設定エリア１００２においても、定期券の有効期限のチェックタイミングを設定するタイミング設定欄１００２ａとその対応動作を設定する対応動作設定欄１００２ｂとが設けられており、ここでは、タイミング設定欄１００２ａで定期券のチェックタイミングを「毎週月曜日」、対応動作設定欄１００２ｂで対応動作を「有効期限２週間前で表示」と夫々設定しており、かかる設定により、毎週月曜日にＩＣカード１０４内の定期券の有効期限のチェックがなされ、有効期限２週間前になると、その旨が携帯端末１００の表示部２０７や音声入出力部２０２などで利用者に通知されることになるが、これらの設定内容も、操作部２０６の操作により、適宜設定変更することができる。
【００６０】
図１１は図５に示す管理装置１０２の顧客データ記憶部５０３で記憶される顧客データでの対応動作条件を設定するための対応動作条件動作設定画面１１００の一具体例を示す図であって、この対応動作設定画面１１００は図２，図９に示す携帯端末１００の表示部２０７で表示されるものである。これによって設定された対応動作条件は通信部２０４，アンテナ２０５からネットワーク１０３を介して管理部１０２に送信され、図６に示す顧客データに組み込まれて顧客データ記憶部５０３に格納される。
【００６１】
この対応動作設定画面１１００では、バリューチャージに対する設定エリア１１０１と定期券に対する設定エリア１００２とが設けられている。設定エリア１１０１では、バリュー残高の対応動作条件を設定するための対応動作条件設定エリア１１０１と定期券の対応動作条件を設定するための対応動作条件設定エリア１１０２とが設けられている。ここでは、バリュウ残高の対応動作条件設定エリア１１０１では、対応動作条件として「１０００円未満でチャージ」、対応動作を実行させるための送信内容として「プログラム起動データ送信」が夫々設定されており、上記のように、かかる対応動作条件を記憶したＩＣカードを搭載した携帯端末１０４が改札機１０１を通過するときには、この改札機が読み取ったカードＩＤやバリュー残高情報により、管理装置１０２は顧客データ記憶部５０３での顧客データからかかる対応動作条件を参照し、このバリュー残高が１０００円未満であるときには、バリューチャージのためのプログラムを起動するためのデータをこの携帯端末１００に送信する。なお、かかる対応動作条件は、かかる対応動作条件設定画面１１００により、携帯端末１００で設定，変更することが可能である。
【００６２】
定期券の対応動作条件についても同様であって、ここでは、定期券の対応動作条件設定エリア１１０２では、対応動作条件として「有効期限２週間前でメール送信」と設定されており、上記のように、かかる対応動作条件を記憶したＩＣカードを搭載した携帯端末１０４が改札機１０１を通過するときには、この改札機が読み取ったカードＩＤや有効期限などの定期券情報により、管理装置１０２は顧客データ記憶部５０３での顧客データからかかる対応動作条件を参照し、この定期券の有効期限が２週間前であるときには、その旨を示すテキストドキュメントなどの情報が作成されてこの携帯端末１００に送信する。なお、かかる対応動作条件は、かかる対応動作条件設定画面１１０１により、携帯端末１００で設定，変更することが可能である。
【００６３】
【発明の効果】
以上説明したように、本発明によれば、携帯端末内に非接触ＩＣカードまたは接触・非接触のデュアルＩ／Ｆを備えたＩＣカードを搭載し、携帯端末からＩＣカード内のＳＦバリューの残高や定期券などを所定のタイミングでチェックを行なうことにより、必要に応じてＳＦバリューのチャージや定期券の有効期限の更新が可能になる。
【００６４】
また、改札通過時に該ＩＣカードからカード情報を取得した管理装置が、ネットワークを介して、携帯端末に残高不足や有効期限が迫っていることを通知したり、携帯端末内のバリューのチャージを行なうプログラムを起動する情報を送付したりすることにより、管理装置の処理コストや処理時間の増加を伴うことなく、また、携帯端末がバリュー残高や定期券の有効期限をチェックすることなく、ＳＦバリューのチャージや定期券更新のタイミングを知ることが可能になる。
【００６５】
さらに、携帯端末には、各種入力装置が備わっているため、各種認証を行なうことでより、セキュリティーを高めながら、ＳＦバリューのチャージや定期券の有効期限の更新も可能になるサービスを提供することが可能となる。
【図面の簡単な説明】
【図１】本発明によるＩＣカードの管理方法の一実施形態を示す図である。
【図２】本発明による携帯端末の一実施形態である図１における携帯端末の内部構成を示すブロック図である。
【図３】図１に示す携帯端末の非接触ＩＣカードへのアクセス対応動作処理の一具体例を示すフローチャートである。
【図４】図１における改札機の一具体例の内部構成を示すブロック図である。
【図５】本発明によるＩＣカードの管理方法の他の実施形態での図１における管理装置の一実施形態の内部構成を示すブロック図である。
【図６】図５における顧客データ記憶部に格納された顧客データの一具体例を示す図である。
【図７】図５に示す管理装置の携帯端末への所定情報の送信処理の一具体例を示すフローチャートである。
【図８】管理装置が図７で示す処理動作で送信した情報の図１で示す携帯端末の受信処理動作の一具体例を示すフローチャートである。
【図９】本発明による携帯端末の他の実施形態である図１に示す携帯端末の内部構成を示すブロック図である。
【図１０】本発明による携帯端末での対応動作条件設定画面の一具体例を示す図である。
【図１１】本発明による携帯端末での対応動作条件設定画面の他の具体例を示す図である。
【符号の説明】
１００  携帯端末
１０１  改札機
１０２  管理装置
１０３  ネットワーク
２０１  制御部
２０２  音声入出力部
２０３  記憶部
２０４  通信部
２０５  アンテナ
２０６  入力部
２０７  通信部
２０８  アンテナ
２０９  入力部
４０１  制御部
４０２  改札通過情報記憶部
４０３  非接触ＩＣカード通信部
４０４  通信部
５０１  制御部
５０２  改札通過情報記憶部
５０３  顧客データ記憶部
５０４  通信部
９００  指紋入力部
９０１  カメラ部
９０２  通信検出部
１０００，１１００  対応動作条件設定画面
【図１】
2004355507.tif 000003
【図２】
2004355507.tif 000004
【図３】
2004355507.tif 000005
【図４】
2004355507.tif 000006
【図５】
2004355507.tif 000007
【図６】
2004355507.tif 000008
【図７】
2004355507.tif 000009
【図８】
2004355507.tif 000010
【図９】
2004355507.tif 000011
【図１０】
2004355507.tif 000012
【図１１】
2004355507.tif 000013